(57)【特許請求の範囲】
【請求項１】
ディスクカートリッジが配置される底面部と、この底面部の相対向する側縁からディスクカートリッジの厚さ寸法よりやや大とされた一対の第１の立上がり壁とから構成され、この一対の第１の立上がり壁により構成される上側開口部及び前面側開口部とを有する下側収納体と、下側収納体にディスクカートリッジの挿入方向とは対向する側に開閉自在に支持され、上記上側開口部を閉蓋する主面と、前面側開口部を閉蓋する上記主面の一側縁から立設された第２の立上がり壁と、この第２の立上がり壁と隣り合うと共に上記上側開口部を閉蓋する主面の相対向する両側縁から立設された一対の第３の立上がり壁とを有する蓋体とを備え、
上記底面部には、一対の位置規制壁が立設され、該位置規制壁の一方にはその付け根とは対向する端部に係合凸部が設けられ、
上記第２の立上がり壁と対向する側に略コ字状の立上がり壁が立設され、該立上がり壁には蓋体主面に平行して支持面が設けられ、
上記第３の立上がり壁には、上記底面部と平行であって、ディスクカートリッジの外周部に当接する位置にディスクカートリッジの収録内容を表示する表示ラベルを支持する支持部が設けられ、
上記支持部は、蓋体が閉蓋された際に、上記下側収納体の底面部からディスクカートリッジの厚さ寸法と等しくなる位置に形成されてなることを特徴とするディスクカートリッジ収納ケース。
【請求項２】
上記第３の立上がり壁には、表示ラベルの挿入される位置を規制する一対の規制凸部が設けられたことを特徴とする請求項１に記載のディスクカートリッジ収納ケース。
【請求項３】
上記主面及び第２の立上がり壁の側縁により構成されるコーナ部には、表示ラベルの挿入される位置を規制する円弧状に形成された一対の位置規制リブが設けられたことを特徴とする請求項２に記載のディスクカートリッジ収納ケース。
【請求項４】
上記規制凸部の突出された寸法及び上記位置規制リブの厚さ寸法が等しくなるように形成されると共に、一方の規制凸部及び位置規制リブと他方の規制凸部及び位置規制リブとの間隔が上記表示ラベルの幅寸法と等しくなるように成形されたことを特徴とする請求項３に記載のディスクカートリッジ収納ケース。
【発明の詳細な説明】
【０００１】
【発明の属する技術分野】
本発明は、光ディスク、光磁気ディスク等の円盤状記録媒体を収納したディスクカートリッジを収納するディスクカートリッジ収納ケースに関する。
【０００２】
【従来の技術】
従来、光ディスク又は光磁気ディスク等の円盤状記録媒体は、その保管時において、記録及び／又は再生面の記録領域に塵、若しくは埃が付着し、又は傷等が生ずることを防止するため、ディスクカートリッジに回転自在に収納されている。このように構成されたディスクカートリッジは、記録及び／又は再生装置に装填されるとディスクカートリッジに設けられた記録及び／又は再生開口部を閉蓋するシャッタ部材が開蓋されて、収納されたディスクを外方に臨ませる。そして、ディスクカートリッジは、記録及び／又は再生装置側のディスクテーブルにマグネットチャッキングされて、内部に収納されたディスクを回転可能な状態とさせ、記録及び／又は再生の可能な状態とさせる。
【０００３】
このようにディスクカートリッジは、ディスクがカートリッジに収納された状態で、記録及び／又は再生装置に装填されることから、通常、非使用時には、ディスクカートリッジを保護するためディスクカートリッジ収納ケースに収納されて保管されている。
【０００４】
ここに、ディスクカートリッジを複数所有する場合、ディスクカートリッジは、外形形状が同じく形成されており、外形形状の色彩のみを異にして形成されている。したがって、ディスクカートリッジは、この内部に収納されているディスクの記録されている内容を識別することが困難となる。そこで、通常、ディスクカートリッジは、ディスクカートリッジの記録内容が記載された表示ラベルと共に、収納ケースに収納される。
【０００５】
このようなディスクカートリッジ収納ケースに収納されるディスクカートリッジ１００は、例えば図７に示すように、一対の略浅皿状に形成された上ハーフ１０１と下ハーフ１０２を突き合わせて接合して形成されるカートリッジ本体１０３にディスクを回転自在に収納して構成されている。
【０００６】
カートリッジ本体１０３には、内部にディスクの外径寸法よりやや大径であって、且つ上記ディスクの厚さ寸法よりやや大とされた円弧状の立上がり壁によって構成されるディスク収納部が形成されている。このディスク収納部には、上記ディスクが回転自在に収納されている。
【０００７】
また、上記カートリッジ本体１０３には、上下面に中央部から前面側に亘って左右方向略中央に位置して記録及び／又は再生開口部が開設されている。この記録及び／又は再生開口部は、カートリッジ本体１０３に収納されたディスクの記録領域の一部を外方に臨まさせている。
【０００８】
記録及び／又は再生開口部には、記録及び／又は再生開口部を閉蓋するに足る大きさを有する一対のシャッタ部１０５とこのシャッタ部１０５を連結する連結部１０６とから構成される全体として断面略コ字状を呈したシャッタ部材１０４がスライド自在に組み付けられている。このシャッタ部材１０４は、記録及び／又は再生装置に装着される際に限って、記録及び／又は再生開口部を開放し、非使用時には、記録及び／又は再生開口部を閉蓋する状態とされている。したがって、シャッタ部材１０４は、非使用時には、カートリッジ本体１０３内に塵或いは埃等が進入することを防止し、また、ディスクの記録領域に手、指等が触れるのを防止している。
【０００９】
また、カートリッジ本体１０３には、ディスクカートリッジ１００を記録及び／又は再生装置に挿入する方向を示す矢印１０７が設けられている。
【００１０】
カートリッジ本体１０３に収納されるディスクは、合成樹脂材料により成形されるディスク基板と、このディスク基板の中心部に取り付けられる記録及び／又は再生装置側のセンタスピンドルが係合する中心穴を有するハブとにより構成されている。そして、このディスク基板は、中央領域に情報信号が記録されない非記録領域が形成され、この非記録領域の外周部に情報信号が記録される記録領域が形成されている。また、ハブは、合成樹脂材料から形成されるリング部材の一方の側に磁気吸着性を有する金属板を一体に取り付けて構成されている。そして、ハブは、ディスク基板の中央で、且つ上記非記録領域に取り付けられる。
【００１１】
以上のようなディスクカートリッジ１００が収納される収納ケースは、一般に次のものが提案されている。
【００１２】
例えば、第１の収納ケース１１０は、図７に示すように、ディスクカートリッジ１００よりやや大とされた寸法を有する上側ハーフ１１１と、ディスクカートリッジ１００が配置される下側ハーフ１１２とにより構成され、上記上側ハーフ１１１と下側ハーフ１１２とが結合された状態において、一方の側面部にディスクカートリッジ１００が挿入されるディスクカートリッジ挿入開口部１１３が形成されている。
【００１３】
上側ハーフ１１１は、全体として収納されるディスクカートリッジ１００の上面よりやや大とされた大きさを呈して形成されている。そして、この上側ハーフ１１１は、ディスクカートリッジ１００の収納時に、外部から収納されているディスクカートリッジ１００を目視できるように透明な合成樹脂材料によって形成されている。
【００１４】
下側ハーフ１１２は、ディスクカートリッジ１００が配置されることから、全体としてディスクカートリッジ１００の下面よりやや大とされた大きさを呈して形成されている。そして、これら上側ハーフ１１１と下側ハーフ１１２は、これらを組合せ接合することにより、収納ケース１１０を構成する。
【００１５】
このように構成される収納ケース１１０は、内部にディスクカートリッジ１００が収納されるディスクカートリッジ収納空間部１１４が形成されている。そして、収納ケース１１０は、このディスクカートリッジ収納空間部１１４にディスクカートリッジ１００が収納されるように、一方の側面部にディスクカートリッジ挿入開口部１１３が開口されている。したがって、ディスクカートリッジ収納空間部１１４は、ディスクカートリッジ１００の全体形状よりやや大とされた大きさを呈して形成され、また、ディスクカートリッジ挿入開口部１１３は、ディスクカートリッジ１００の一方の側面部よりやや大とされた開口寸法を呈して形成されている。
【００１６】
また、上側ハーフ１１１及び下側ハーフ１１２には、ディスクカートリッジ挿入開口部１１３を構成する側縁に、ディスクカートリッジ１００の挿脱を容易にするために、取出し凹部１１６が切り欠き形成されている。したがって、ディスクカートリッジ１００は、収納ケース１１０に収納された際には、この取出し凹部１１６対応する部位が外方に臨まされている。
【００１７】
このように構成された収納ケース１１０は、ディスクカートリッジ１００が挿入される際にスライド動作をさせて、ディスクカートリッジ挿入開口部１１３よりディスクカートリッジ収納空間部１１４内に収納する。この際、ディスクカートリッジ１００は、上述した記録及び／又は再生装置に挿入する際の挿入方向を示す矢印１０７と同じ方向に挿入される。
【００１８】
また、ディスクカートリッジ１００は、収納ケース１１０の取出し凹部１１６より外方に臨まされる部位を持って、スライド動作させることによって収納ケース１１０より取り出される。
【００１９】
また、ディスクカートリッジ１００の収納ケースとして、次のような第２の収納ケース１２０が提案されている。
【００２０】
すなわち、収納ケース１２０は、図８に示すように、ディスクカートリッジ挿入開口部１２９を有するディスクカートリッジ１００が収納される下側収納体１２１と、一方の側面部に開閉自在に取り付けられる蓋体１２８とから構成されている。
【００２１】
下側収納体１２１は、ディスクカートリッジ１００が配置される底面部１２２と、この底面部１２２の三方の側縁部からディスクカートリッジ１００の厚さ寸法よりやや大とされた立上がり壁１２３（１２３Ａ、１２３Ｂ、１２３Ｃ）が連接して立設されてると共に、上面がディスクカートリッジ挿入されるディスクカートリッジ挿入開口部１２９として形成され、全体として略皿上を呈して形成されている。そして、収納ケース１２０の内部は、ディスクカートリッジ収納空間部１２４として構成されている。
【００２２】
また、この底面部１２２には、中央領域にディスクカートリッジ１００が取り外し可能な状態で固定されるように、配置されるディスクカートリッジ１００の各コーナ部に対応する部位に係止部１２５（１２５Ａ、１２５Ｂ、１２５Ｃ、１２５Ｄ）が立設され、ディスクカートリッジ配置位置１２６を構成している。したがって、ディスクカートリッジ１００は、下側収納体１２１のディスクカートリッジ配置位置１２６に収納されると、この係止部１２５に係止されて、取り外し可能な状態で固定される。
【００２３】
また、このディスクカートリッジ配置位置１２６の外周領域であって、立上がり壁１２３との間にクリアランス１２７が構成されている。このクリアランス１２７は、ディスクカートリッジ１００の挿脱の際に、ディスクカートリッジ１００を支持するために指を挿入するために設けられている。
【００２４】
蓋体１２８は、上記ディスクカートリッジ挿入開口部１２９とほぼ等しくする主面１３０と、この主面１３０の相対向する側縁から立設された一対の支持片１３１と、下側収納体１２１の立上がり壁が形成されない側縁を閉蓋する側面１３２とから構成されている。
【００２５】
主面１３０は、上記ディスクカートリッジ挿入開口部１２９とほぼ等しくする外形寸法を有し、全体として矩形形状を呈して形成されている。そして、この主面１３０には、相対向する側縁から支持片１３１が立設されている。
【００２６】
この支持片１３１には、凸部が形成され、下側収納体１２１の相対向する立上がり壁１２３Ａ、１２３Ｃの後方に設けられた凹部に嵌合され、蓋体１２８を開閉自在に支持している。
【００２７】
このように構成された収納ケース１２０は、ディスクカートリッジ１００を収納する際には、蓋体１２８が開蓋された状態で、ディスクカートリッジ挿入開口部１２９より、ディスクカートリッジ収納部１２４に収納され、上記係止部１２５に係止されて固定され、この後、蓋体１２８が閉蓋されて収納される。
【００２８】
一方、収納ケース１２０は、ディスクカートリッジ１００を取り出す際には、蓋体１２８が開蓋された状態で、係止部１２５に係止された状態のディスクカートリッジ１００を係止状態を解除させてディスクカートリッジ挿入開口部１２９より取り出させる。
【００２９】
【発明が解決しようとする課題】
ところで、上記ディスクカートリッジ１００が収納される第１の収納ケース１１０及び第２の収納ケース１２０は、次のようにディスクカートリッジ１００に収納されたディスクの記録された内容が記載される表示ラベルが収納される。
【００３０】
すなわち、第１の収納ケース１１０には、表示ラベルが上記ディスクカートリッジ収納空間部１１４収納されたディスクカートリッジ１００と上側ハーフ１１１との間に生じる隙間に収納される。ここに、この第１の収納ケース１１０に収納される表示ラベルは、ディスクカートリッジ収納空間部１１４に収納されるように、上側ハーフ１１１の外形寸法よりやや小とされた大きさで形成されている。
【００３１】
したがって、ディスクカートリッジ１００と共に表示ラベルが第１の収納ケース１１０内に収納された場合に、この第１の収納ケース１１０が持ち運び等の際に傾けられると、この表示ラベルは、ディスクカートリッジ収納空間部１１４内の一方に偏ることになってしまう。第１の収納ケース１１０は、上述の通り外部から収納されているディスクカートリッジ１００を目視できるように透明な合成樹脂材料によって形成されていることから、上記表示ラベルが偏った状態が目視されることから、外観意匠を害することになる。
【００３２】
また、この表示ラベルは、上記上側ハーフ１１１と収納されたディスクカートリッジ１００との間に生じる隙間に収納されることから、ディスクカートリッジ１００を取り出す際に、表示ラベルについても共に取り出されてしまうことがある。そのため、第１の収納ケース１１０にあっては、ディスクカートリッジ１００及び表示ラベルの挿脱の際の取扱いが煩雑となる。
【００３３】
さらに、この第１の収納ケース１１０に収納される表示ラベルが張り付け可能となるようにシール状に形成されている場合、この表示ラベルが上記ディスクカートリッジ収納空間部１１４に収納することができない大きさで形成されていると、ディスクカートリッジ収納空間部１１４に収納できるように折り曲げる必要がある。しかしながら、このような場合には、表示ラベルは、シール状に形成されていることから、折り曲げることができず、ディスクカートリッジ収納空間部１１４内に収納できなくなる。
【００３４】
さらにまた、第２の収納ケース１２０にあっては、通常、ディスクカートリッジ収納空間部１２４に配置されたディスクカートリッジ１００の上面に配置される。したがって、第２の収納ケース１２０は、ディスクカートリッジ１００の挿脱の際には、必ず表示ラベルについても挿脱しなければならず、取扱いが煩雑となる。
【００３５】
また、第２の収納ケース１２０についても、蓋体１２８は、上記第上側ハーフ１１１と同様に、透明な合成樹脂材料により形成されている。したがって、第２の収納ケース１２０は、持ち運び等の際に傾けられると、この状態が目視でき、外観意匠を害することになる。
【００３６】
そこで、本発明は、ディスクカートリッジの挿脱操作とは別に表示ラベルの挿脱操作ができ、且つ着実に表示ラベルが支持されるディスクカートリッジ収納ケースを提供することを目的とする。
【００３７】
【課題を解決するための手段】
本発明に係るディスクカートリッジ収納ケースは、上述のような課題を解決すべく、ディスクカートリッジが配置される底面部と、この底面部の相対向する側縁からディスクカートリッジの厚さ寸法よりやや大とされた一対の第１の立上がり壁とから構成され、この一対の第１の立上がり壁により構成される上側開口部及び前面側開口部とを有する下側収納体と、下側収納体にディスクカートリッジの挿入方向とは対向する側に開閉自在に支持され、上側開口部を閉蓋する主面と、前面側開口部を閉蓋する主面の一側縁から立設された第２の立上がり壁と、この第２の立上がり壁と隣り合うと共に上側開口部を閉蓋する主面の相対向する両側縁から立設された一対の第３の立上がり壁とを有する蓋体とを備
え、底面部には、一対の位置規制壁が立設され、この位置規制壁の一方にはその付け根とは対向する端部に係合凸部が設けられ、第２の立上がり壁と対向する側に略コ字状の立上がり壁が立設され、この立上がり壁には蓋体主面に平行して支持面が設けられて構成される。そして、第３の立上がり壁には、底面部と平行であって、ディスクカートリッジの外周部に当接する位置にディスクカートリッジの収録内容を表示する表示ラベルを支持する支持部が設けられ、この支持部は、蓋体が閉蓋された際に、下側収納体の底面部からディスクカートリッジの厚さ寸法と等しくなる位置に形成されていることを特徴とする。
【００３８】
以上のように構成されたディスクカートリッジ収納ケースは、蓋体が開蓋された状態において、ディスクカートリッジの挿脱操作とは別に表示ラベルの挿脱操作が行われる。また、ディスクカートリッジ収納ケースは、ディスクカートリッジ及び表示ラベルが収納され閉蓋された状態において、表示ラベルを支持部材により支持していることから、持ち運び等の際に傾けられても、確実に表示ラベルを所定の位置に支持する。
さらにまた、表示ラベルを支持する支持部は蓋体が閉蓋された際に、下側収納体の底面部からディスクカートリッジの厚さ寸法と等しくなる位置に形成されていることから、表示ラベルを支持することと同時に、ディスクカートリッジの高さ方向のズレを防止する。
【００３９】
【発明の実施の形態】
以下、本発明に係るディスクカートリッジ１の収納ケース２０について、図面を用いて詳細に説明する。
【００４０】
このディスクカートリッジ収納ケース２０は、光磁気ディスク等の円盤状記録媒体が回転自在に収納されたディスクカートリッジ１を保護するため、記録及び／又は再生装置に装着されない保管時等の非使用時において、収納すると共に、光磁気ディスク等に記録された内容を表示する表示ラベルを収納する。
【００４１】
すなわち、ディスクカートリッジ１は、例えば図１及び図２に示すように、合成樹脂材料によって形成された略浅皿方形の上ハーフ２と下ハーフ３とを組み合わせてカートリッジ本体４を構成し、このカートリッジ本体４に光磁気ディスクが回転自在に収納されている。上ハーフ２及び下ハーフ３には、それぞれ周回りに立上がり周壁５（５Ａ、５Ｂ）が立設されている。これら立上がり周壁５は、上ハーフ２と下ハーフ３とを組み合わせた状態において、互いに突き合わされてカートリッジ本体４の外周壁６を構成する。
【００４２】
上ハーフ２及び下ハーフ３には、相対向する内面に、立ち上がり周壁５に内接してそれぞれ同一円周上に位置する図示しない複数個の円弧壁からなるディスク収納壁が形成されている。これらディスク収納壁は、上ハーフ２と下ハーフ３とを組み合わせた状態において、互いに突き合わされて図示しないディスク収納部を形成している。したがって、上ハーフ２と下ハーフ３は、ディスク収納壁とを互いに組み合わせるように組み立てると共に、これらを超音波溶着等することにより一体化し、カートリッジ本体４を構成している。
【００４３】
下ハーフ３には、下ハーフ３の略中央部に位置して円形のディスクテーブル進入用開口部７が設けられている。このディスクテーブル進入用開口部７には、ディスクカートリッジ１を記録及び／又は再生装置に装着したとき、ディスク収納部に収納された光磁気ディスクを駆動する記録及び／又は再生装置側のディスクテーブルが進入する。このディスクテーブル進入用開口部７は、具体的には、ディスク収納部に収納された光磁気ディスクのセンタ穴を閉蓋して設けられるマグネットクランプ用の磁性板材料によって形成されたハブ１４を外方に臨ませる。
【００４４】
上ハーフ２と下ハーフ３には、ディスク収納部に回転自在に収納された光磁気ディスクの少なくとも信号記録部の一部を内外周に亘って外方に臨ませる記録及び／又は再生用開口部８（８Ａ、８Ｂ）が相対向して開設されている。これら記録及び／又は再生用開口部８は、ディスクテーブル進入開口部７に近接する位置から上ハーフ２及び下ハーフ３の前面側に亘って左右方向の略中央に位置して方形に形成されている。
【００４５】
上ハーフ２と下ハーフ３とによって構成されるカートリッジ本体４には、記録及び／又は再生用開口部８からディスク収納部に塵や埃等が進入して収納した光磁気ディスクに付着することを防止するために、これら記録及び／又は再生用開口部８を閉蓋するシャッタ部材９が組み付けられている。シャッタ部材９は、薄い金属板をプレス加工して形成したものであり、記録及び／又は再生用開口部８をそれぞれ閉蓋するに足る長さ寸法を有する全体コ字状を呈した外形形状に形成される。
【００４６】
以上のように構成されるシャッタ部材９は、カートリッジ本体４に挟み込むと共に図示しないシャッタ部材９側のシャッタガイド部材が、図示しないカートリッジ本体４側のシャッタガイド溝に係合されることによってカートリッジ本体４に組み付けられる。シャッタ部材９は、通常、図示しないシャッタスプリングによって図１に示すＡ方向に付勢され、第１の位置の記録及び／又は再生用開口部８を閉蓋した状態に保持される。
【００４７】
また、シャッタ部材９は、ディスクカートリッジ１を記録及び／又は再生装置に装填すると、この記録及び／又は再生装置側のシャッタ駆動部材によって、図１に示すＢ方向へ移動することにより、記録及び／又は再生用開口部８を閉蓋した第１の位置から記録及び／又は再生用開口部８を開蓋した第２の位置へと移動される。
【００４８】
ディスクカートリッジ１には、光磁気ディスクに記録された情報信号が誤って消去されることを防止する誤記録防止機構１０が備えられている。この誤記録防止機構１０は、下ハーフ３の側面コーナ部に位置して配設された誤記録防止部材１１Ａと誤記録検出孔１２と操作開口部１３とにより構成される。誤記録防止部材１１Ａは、下ハーフ３の背面コーナ部に位置し、カートリッジ本体４内に配設される。そして、誤記録防止部材１１Ａは、誤記録検出孔１２を閉蓋するに足る大きさを有している。また、誤記録検出孔１２は、下ハーフ３の背面コーナ部に設けられている。さらに、上ハーフ２と下ハーフ３には、誤記録防止部材１１の操作部１１Ｂに対応して立上がり周壁５Ｂに操作開口部１３が設けられている。
【００４９】
誤記録防止機構１０は、誤記録防止部材１１Ａが誤記録検出孔１２を閉蓋する第１の位置に設定された状態においては、記録及び／又は再生装置側の誤記録検出手段の誤記録検出孔１２への進入を阻止し、ディスク収納部に収納された光磁気ディスクに対する情報信号の記録を可能な状態とする。また、誤記録防止機構１０は、操作開口部１３を介して切り換え操作されて、誤記録防止部材１１Ａが誤記録検出孔１２を開蓋する第２の位置に設定された状態においては、記録及び／又は再生装置側の誤記録検出手段の誤記録検出孔１２への進入を許可し、ディスク収納部に収納された光磁気ディスクに対する情報信号の記録を不能な状態とする。
【００５０】
また、ディスクカートリッジ１には、下ハーフ３側の前面側のコーナ部に後述する収納ケース２０側の第１の係合凸部３０と係止される第１の係合凹部１６が凹設されている。この第１の係合凹部１６は、外方が開口されて、その周囲が円弧状の立上がり壁５により構成されている。また、ディスクカートリッジ１には、記録及び／又は再生装置に挿入する方向と対向する側の側面に、後述するディスクカートリッジ収納ケース２０の底面部２２に立設された位置規制壁３１に設けられた第２の係合凸部３３に係合する第２の係合凹部１７が凹設されている。これら第１の係合凹部１６及び第２の係合凹部１７は、ディスクカートリッジ収納ケース２０に収納された際に、ディスクカートリッジ１の位置決めを行う。
【００５１】
ディスクカートリッジ１に回転自在に収納された光磁気ディスクは、ディスク基板と、このディスク基板のセンタ穴に組み立てられたハブ１４とから構成されている。このディスク基板は、ガラス板或いは透明な合成樹脂、例えばポリカーボネート樹脂によって円盤状に形成された透明なディスク基板によって構成されている。
【００５２】
このカートリッジ本体４に収納される光磁気ディスクは、中央領域に情報信号が記録されない非記録領域とこの外周領域に情報信号が記録される記録領域が形成されたディスク基板と、このディスク基板の中央領域に取り付けられる記録及び／又は再生装置側のセンタスピンドルが係合される中心穴１５を有するハブ１４とから構成される。
【００５３】
ディスク基板は、全体として円盤状を呈して、ポリカーボネート樹脂等の合成樹脂材料によって成形されている。そして、上記ディスク基板は、外周領域に情報信号の記録領域が形成されると共に、上記記録領域上にアルミニウム（Ａｌ）等の反射層が形成され、さらには、上記反射層を保護する合成樹脂材料が被覆されて構成される。
【００５４】
そして、ディスク基板には、中央領域に記録及び／又は再生装置側のセンタスピンドルが係合される中心穴１５を有するハブ１４が取り付けられている。このハブ１４は、合成樹脂材料から形成されるリング部材の一方の両側に磁気吸着性を有する金属板が取り付けられて構成されている。
【００５５】
ディスクカートリッジ１は、記録及び／又は再生装置に装着されると、ハブ１４の中心穴１５にセンタスピンドルが係合し、そして上記ディスクが上記マグネットにマグネットチャッキングされ、ディスクテーブルと一体に回転可能な状態とされる。
【００５６】
以上のようなディスクカートリッジ１が収納されるディスクカートリッジ収納ケース２０は、例えば図３乃至図６に示すように、下側収納体２１と蓋体４５とから構成されている。
【００５７】
そして、上記下側収納体２１は、合成樹脂材料により成形され、ディスクカートリッジ１が配置される底面部２２と、この底面部２２の相対向する側縁からディスクカートリッジ１の厚さ寸法よりやや大とされた高さ寸法であるＣ寸法を有する一対の第１の立上がり壁２３（２３Ａ、２３Ｂ）とが形成され、この一対の第１の立上がり壁２３により構成される上側開口部２４及び前面側開口部２５とを有して構成されている。そして、これら第１の立上がり壁２３は、ディスクカートリッジ１が収納された際の、幅方向のズレを規制している。
【００５８】
底面部２２は、ディスクカートリッジ１の横方向のＡ寸法とほぼ等しい横寸法Ｃと、ディスクカートリッジ１の縦方向のＢ寸法よりやや大とされた縦寸法Ｄとを有し、全体として矩形形状を呈して形成されている。そして、この底面部２２には、その相対向する側縁からディスクカートリッジ１の厚み寸法よりやや大とされた第１の立上がり壁２３が立設されている。そして、これら第１の立上がり壁２３は、上面に上側開口部２４と、前面側に前面側開口部２５を構成している。
【００５９】
この上側開口部２４は、底面部２２と同様な寸法であるＣ寸法、Ｄ寸法を有して開口されている。そして、この上側開口部２４は、ディスクカートリッジ１の上方向からの挿脱を可能としている。このように、下側収納体２１内には、一対の第１の立上がり壁２３とにより収納部２６が構成されている。
【００６０】
また、前面側開口部２５は、上記上側開口部２４と隣り合って、ディスクカートリッジ１の厚さ寸法よりやや大とされた図５に示す高さ寸法であるＥ寸法と、ディスクカートリッジ１のＡ寸法とほぼ等しくするＣ寸法とを有して開口されている。そして、この前面側開口部２５は、ディスクカートリッジ１の前面側からの挿脱を可能としている。
【００６１】
また、底面部２２には、図４に示すように、ディスクカートリッジ１が挿脱される上記前面側開口部２５の近傍に係止片２７が設けられている。この係止片２７は、底面部２２を形成する合成樹脂材料と同じくする合成樹脂材料により形成されており、この係止片２７の周囲が略Ｕ字状に切り欠かれて切欠き部２８が形成され、一方の端部の根本部２９が底面部２２と一体に形成されて支持されている。そして、この他方の端部には、上述したディスクカートリッジ１の下ハーフ３側における前面側のコーナ部に凹設された第１の係合凹部１６に係合される第１の係合凸部３０が一体に形成されている。また、この係止片２７は、一方の端部が底面部２２に一体に形成されていることから、この根本部２９を支点として弾性変位するように形成されている。
【００６２】
また、この底面部２２には、奥方向に一対の位置規制壁３１（３１Ａ、３１Ｂ）が立設されている。この位置規制壁３１は、前面側開口部２５からディスクカートリッジ１のＢ寸法分だけ奥方向に立設され、前面側開口部２５よりＦ寸法を有して立設されている。この位置規制壁３１は、ディスクカートリッジ１が収納部２６に配置されると、記録及び／又は再生装置に挿入する方向と対向する側の側面に突き当てられ、配置位置が規制される。また、この位置規制壁３１は、その間にクリアランス３２を設けて立設されている。このクリアランス３２は、ディスクカートリッジ１が収納部２６に配置された時に、ディスクカートリッジ１を取り出す際に指等を入れることを可能とし、ディスクカートリッジ１の取り出しを容易としている。
【００６３】
このように構成された位置規制壁３１の一方の位置規制壁３１Ａには、その付け根とは対向する端部にディスクカートリッジ１の記録及び／又は再生装置に挿入する方向と対向する側の側面に設けられた第２の係合凹部１７と係合する第２の係合凸部３３が設けられている。そして、この第２の係合凸部３３は、上記第２の係合凹部１７と係合することにより、ディスクカートリッジ１の高さ方向のズレを規制する。
【００６４】
なお、底面部２２には、この第２の係合凸部３３を成形金型により成形するため、成型時に生じる型抜き穴３４が開口されている。
【００６５】
また、下側収納体２１には、上記前面側開口部２５と対向する側の底面部２２に空間部４０が設けられている。この空間部４０は、後述する蓋体４５が開閉される際に、その端部が上記位置規制壁３１に当たらないようにするために、設けられている。また、この空間部４０は、ディスクカートリッジ１を取り出す際に、指等を入れることを可能としディスクカートリッジ１の取り出し操作を容易としている。
【００６６】
また、底面部２２には、図３及び図４に示すように、ディスクカートリッジ１の挿入方向を示す表示部３５が設けられている。この表示部３５は、矢印３６と、ディスクカートリッジ１の上面から見た外観図３７が凹凸をもって形成されている。したがって、この表示部３５は、ディスクカートリッジ１収納ケース２０にディスクカートリッジ１を挿入する際に、目視するだけで挿入方向を容易に識別させる。
【００６７】
この表示部３５は、下側収納体２１を成形金型により成形する際に、成形金型内に成形された下側収納体２１の表示部３５に対応する部位に同様な表示部３５の凹凸が形成されることにより成形される。すなわち、この表示部３５は、下側収納体２１の成形金型による成形と同時に成形される。したがって、この表示部３５を設けるに際しては、改めて別の製造工程を経ることが無いことから、下側収納体２１の製造効率の向上が図られる。
【００６８】
なお、この表示部３５には、蛍光材料等を塗布することにより、ディスクカートリッジ１の挿入方向を一層識別し易くしても良い。また、この表示部３５は、上述の通り成形金型により下側収納体２１の成形と同時成形する場合について説明したが、ＰＡＤ印刷等の印刷により設けても良いのは勿論である。また、この表示部３５は、その挿入方法を矢印３６及び外観図３７を用いて説明したが、これらの表示方法に限定されるものではない。
【００６９】
また、底面部２２から立設される一対の第１の立上がり壁２３の内方には、ディスクカートリッジ１が配置される底面部２２からディスクカートリッジ１の厚さ寸法と等しい部位に底面部２２と平行に一対の位置規制凸部３８（３８Ａ、３８Ｂ）が設けられている。
【００７０】
この位置規制凸部３８は、ディスクカートリッジ１が底面部２２にディスクカートリッジ１が配置された際に、ディスクカートリッジ１の上方向での挿脱を不可能にしない程度で、且つディスクカートリッジ１の外周側縁部に当接するように、突出して成形されている。したがって、この位置規制凸部３８は、ディスクカートリッジ１が底面部２２に配置された際には、ディスクカートリッジ１が下側収納体２１に収納された際の高さ方向でのズレを規制する。
【００７１】
さらには、この第１の立上がり壁２３には、ヒンジ機構として、前面側開口部２５と対向する側の内方に、蓋体４５の第３の立上がり壁に凹設された凹部と嵌合する凸部が設けられている。この凸部は、上記凹部と嵌合されることにより、蓋体４５を開閉自在に支持する。
【００７２】
これら第１の立上がり壁２３には、その内方にそれぞれ突部３９（３９Ａ、３９Ｂ）が形成されている。この突部３９は、後述する蓋体４５の第３の立上がり壁に凹設された凹部と係合することにより蓋体４５が閉蓋された際に係止され蓋体４５が開蓋することを防止する。
【００７３】
このように構成される下側収納体２１に開閉自在に取り付けられる蓋体４５は、上記上側開口部２４を閉蓋する主面４６と、上記前面側開口部２５を閉蓋する第２の立上がり壁４７と、上記主面４６と相対向する両側縁から立設されると共に隣り合って形成される第３の立上がり壁４８（４８Ａ、４８Ｂ）とから構成されている。そして、この蓋体４５は、下側収納体２１に収納されたディスクカートリッジ１又はディスクカートリッジ１の記録内容等が記載された表示ラベル４４が目視できるように透明な合成樹脂材料により形成されている。
【００７４】
主面４６は、上記上側開口部２４を閉蓋することから、この上側開口部２４と同一の寸法、すなわち図４に示すＣ寸法とＤ寸法とを有し、全体として矩形形状を有して形成されている。また、この主面４６には、この一側縁から第２の立上がり壁４７が立設されている。
【００７５】
この第２の立上がり壁４７は、前面側開口部２５を閉蓋することから、上記前面側開口部２５と同一の寸法、すなわち図４に示すＣ寸法とＥ寸法を有して形成されている。また、この第２の立上がり壁４７には、図３に示すように、略中央領域に開蓋する方向を示す矢印４９が形成されている。この矢印４９は、上述した下側収納体２１の表示部３５と同様に、凹凸をもって成形されている。すなわち、この矢印４９は、蓋体４５を成形金型により成形する際に、成形金型内に成形された蓋体４５の矢印４９に対応する部位に同様な矢印４９の凹凸が形成された成形金型を用いて成形される。すなわち、この矢印４９は、下側収納体２１の成形金型による成形と同時に成形される。したがって、この矢印４９を設けるに際しては、改めて別の製造工程を経ることが無いことから、蓋体４５の製造効率の向上が図られる。
【００７６】
上記主面４６及び第２の立上がり壁４７の側縁により構成されるコーナ部には、表示ラベル４４の挿入される位置を規制する位置規制リブ５０（５０Ａ、５０Ｂ）が設けられている。この位置規制リブ５０は、具体的には、第２の立上がり壁４７と第３の立上がり壁４８の側縁により構成されるコーナ部に沿って円弧状に成形される。このように成形される位置規制リブ５０は、主面４６の内面に上記表示ラベル４４が収納された際に、この収納位置が横方向で規制されると共に、主面４６と第２の立上がり壁４７の接合状態を補助し、強固としている。
【００７７】
この位置規制リブ５０は、厚さ寸法が後述する第３の立上がり壁４８に突出して形成された表示ラベル４４に収納される位置を規制する規制凸部５３の内方に突出された寸法、すなわちＧ寸法と等しく形成されている。
【００７８】
また、第３の立上がり壁４８は、上記第２の立上がり壁４７が立設される側縁の隣り合う側縁に立設されている。この第３の立上がり壁４８は、上記第２の立上がり壁４７が立設される側とは対向する側から半分程度立設されており、その側縁は、立ち下がって形成されている。
【００７９】
このように成形される第３の立上がり壁４８には、その側縁に底面部２２と平行に、表示ラベル４４を挿脱自在に支持する支持部５１（５１Ａ、５１Ｂ）が一体に成形されている。そして、この支持部５１は、第３の立上がり壁４８からその内方に向かって成形されている。
【００８０】
この支持部５１は、ディスクカートリッジ１が収納された状態で蓋体４５が閉蓋された際に、ディスクカートリッジ１の外周部を当接するように成形されている。すなわち、この支持部５１は、蓋体４５が閉蓋された際に、上記下側収納体２１の底面部２２からディスクカートリッジ１の厚さ寸法と等しくなる位置に形成される。したがって、このように構成される支持部５１は、蓋体４５が閉蓋された状態にあっては、下側収納体２１に収納されたディスクカートリッジ１の外周部に当接され、高さ方向のズレを防止する。
【００８１】
また、この支持部５１は、上述の通り、閉蓋された状態において、ディスクカートリッジ１の高さ方向のズレを防止するのと同時に、ディスクに記録された記録内容を表示する表示ラベル４４が支持される。すなわち、この支持部５１は、上記主面４６の内方に表示ラベル４４が収納される際に、この表示ラベル４４を掛け止めて支持する。したがって、表示ラベル４４は、蓋体４６が開蓋された際においても、この支持部５１に支持されていることから、従来のようにディスクカートリッジ１の挿脱操作と共に、取り出されてしまうことも無い。
【００８２】
表示ラベル４４は、ディスクカートリッジ１に収納された光磁気ディスクに収録された内容が表示されるものであって、全体として上記主面４６と略同一の矩形形状を有している。具体的に、この表示ラベル４４には、例えば音楽等の音声信号が光磁気ディスクに記録されている場合には、その記録された音楽の歌詞等の内容が記載され、また、ユーザが他のディスクカートリッジとを識別するための記載等がなされる。そして、この表示ラベル４４は、一枚の用紙、複数の用紙、冊子、又はこれらが組み合わされたもの等がある。
【００８３】
このように構成される支持部５１は、蓋体４５を成形金型により成形する際に同時に成形される。そして、第３の立上がり壁４８には、支持部５１を成形するために、支持部５１に対応する部位に開口する型抜き穴５２（５２Ａ、５２Ｂ）が形成される。したがって、この型抜き穴５２は、下側収納体２１内に塵又は埃が進入する虞を生じさせる。しかしながら、この型抜き穴５２は、この型抜き穴５２が形成される第３の立上がり壁４８が蓋体４５が閉蓋された状態において、下側収納体２１の第１の立上がり壁２３の内方に収納されることから、塵又は埃等が下側収納体２１内に進入させることも無い。
【００８４】
また、この第３の立上がり壁４８には、上記支持部５１の近傍に表示ラベル４４の横方向のズレを規制する一対の規制凸部５３（５３Ａ、５３Ｂ）が一体に突出して形成されている。この規制凸部５３は、全体として半円弧状を呈して形成され、第３の立上がり壁４８の内方向に形成されている。この規制凸部５３は、内方に突出する寸法が上記位置規制リブ５０の厚さ寸法と等しくなるように成形されている。すなわち、規制凸部５３の突出する寸法及び位置規制リブ５０の厚さ寸法は、図４に示すように、Ｇ寸法で形成されている。したがって、この蓋体４５に表示ラベル４４が収納された場合には、上記位置規制リブ５０の厚さ寸法と上記規制凸部５３の内方に突出された寸法とが等しく形成されていることから、表示ラベル４４の横方向のズレを防止している。
【００８５】
これら位置規制リブ５０及び規制凸部５３は、一方の位置規制リブ５０Ａ及び規制凸部５３Ａと他方の位置規制リブ５０Ｂ及び規制凸部５３Ｂの間隔が表示ラベル４４の幅寸法と等しくなるように形成されている。したがって、表示ラベル４４は、収納ケース２０が持ち運び等の際に傾けられた際にも、表示ラベル４４が一方にズレるといった不都合は無い。
【００８６】
また、第３の立上がり壁４８には、図５に示すように、その外方であって上記規制凸部５３の近傍に上記下側収納体２１側に形成された突部３９と係合する凹部５４が形成されている。この凹部５４は、蓋体４５が閉蓋された際には、上記突部３９と係合し、蓋体４５が開蓋することを防止し、収納部２６に収納されたディスクカートリッジ１が外方に飛び出すことを防止する。
【００８７】
また、第３の立上がり壁４８には、外方であって第２の立上がり壁４７とは対向する側にヒンジ機構である凹部５５が形成されている。この凹部５５は、上記下側収納体２１の第１の立上がり壁２３に設けられた上記凸部と回転自在に嵌合される。したがって、蓋体４５は、下側収納体２１の上側開口部２４及び前面側開口部２５を開閉自在に下側収納体２１に取り付けられる。
【００８８】
また、上記主面４６には、上記第２の立上がり壁４７と対向する側に略コ字状の立上がり壁５６が立設されている。この立上がり壁５６には、上記主面４６に平行して支持面５７が立設されている。このように構成される立上がり壁５６は、表示ラベル４４が主面４６の内側に収納された際には、この立上がり壁５６内に構成される空間部５８に表示ラベル４４の一部が収納され、表示ラベル４４の収納位置を規制する。
【００８９】
このように構成されるディスクカートリッジ収納ケース２０は、図５に示すように、Ｋ方向に操作されることにより、蓋体４５が閉蓋された状態から開蓋された状態とされる。また、ディスクカートリッジ収納ケース２０は、Ｊ方向に操作されることにより、蓋体４５が開蓋した状態から閉蓋した状態とされる。
【００９０】
このように構成されるディスクカートリッジ収納ケース２０は、上記上側開口部２４及び前面側開口部２５が開蓋された状態において、ディスクカートリッジ１が下側収納体２１の収納部２６に収納される。収納ケース２０は、上側開口部２４及び前面側開口部２５が開口されていることから、ディスクカートリッジ１がそれぞれの上側開口部２４又は前面側開口部２５から挿入される。すなわち、収納ケース２０は、蓋体４５が開蓋された状態において、上側開口部２４からディスクカートリッジ１が収納部２６に収納される場合には、図５に示すように、下側収納体２１の上側からディスクカートリッジ１の第２の係合凹部１８が形成された側を下側収納体２１の位置規制壁３１に突き当てるようにして収納操作される。
【００９１】
また、収納ケース２０は、蓋体４５が開蓋された状態において、前面側開口部２５からディスクカートリッジ１が収納部２６に収納される場合には、図４に示すように、Ｉ方向に前面側開口部２５より底面部２２に沿ってディスクカートリッジ１をスライド操作させて、上記位置規制壁３１にディスクカートリッジ１の第１の係合凹部１６が形成された側を下側収納体２１の位置規制壁３１に突き当てるようにして収納操作される。
【００９２】
このように下側収納体２１の収納部２６に収納されたディスクカートリッジ１は、上記位置規制壁３１に突き当てられた状態で底面部２２に配置される。この際、ディスクカートリッジ１は、その側面に凹設された第２の係合凹部１７に位置規制壁３１の第２の係合凸部３３が係合される。また、ディスクカートリッジ１は、上記下側収納体２１の底面部２２に設けられた係止片２７の第１の係合凸部３０がディスクカートリッジ１側の第１の係合凹部１６に係止される。したがって、ディスクカートリッジ１は、縦方向のズレが防止される。また、ディスクカートリッジ１は、第１の立上がり壁２３に設けられた位置規制凸部３８に高さ方向のズレが防止される。
【００９３】
ディスクカートリッジ１は、上記蓋体４５が閉蓋されると、図６に示すように、上記蓋体４５側の支持部５１が収納されたディスクカートリッジ１の外周部に当接される。したがって、ディスクカートリッジ１は、この支持部５１によっても、蓋体４５が閉蓋された状態において、高さ方向のズレが防止される。
【００９４】
一方、収納ケース２０の蓋体４５には、ディスクカートリッジ１の記録内容等が記載された表示ラベル４４が上記支持部５１に掛け止められて、蓋体４５の主面４６の内面に収納される。この際、蓋体４５の位置規制リブ５０及び規制凸部５３は、上記位置規制リブ５０の厚さ寸法と上記規制凸部５３の内方に突出された寸法とが等しく形成されていることから、表示ラベル４４が横方向にズレのを防止する。
【００９５】
一方、ディスクカートリッジ１は、蓋体４５が開蓋された状態において、収納ケース２０より次のようにして取り出される。
【００９６】
すなわち、ディスクカートリッジ１は、収納ケース２０の蓋体４５が開蓋された状態において、上記位置規制壁３１に突き当てられると共に、上記第２の係合凸部３３に第２の係合凹部１７係合された状態にある。また、ディスクカートリッジ１は、第１の係合凹部１６に下側収納体２１側の係止片２７の第１の係合凸部３０に係止された状態にある。さらには、ディスクカートリッジ１は、第１の立上がり壁２３に形成された位置規制凸部３８に外周部が当接された状態にある。
【００９７】
このように配置されているディスクカートリッジ１は、先ず、前面側開口部２５より取り出す場合には、上記クリアランス３２及び空間部４０に指等が挿入されて、クリアランス３２より押圧することにより前面側開口部２５の方向、すなわち図４に示すＨ方向にスライド操作されて、取り出される。この際、下側収納体２１の係止片２７は、根本部２９を支点としてディスクカートリッジ１の第１の係合凹部１６を構成する立上がり壁５に押圧されて下方向に弾性変位し、ディスクカートリッジ１を前面側開口部２５より取り出させるようにする。
【００９８】
また、ディスクカートリッジ１は、上側開口部２４より取り出す場合には、図５に示すように、上記クリアランス３２及び空間部４０に指等が挿入されて、一方、上記前面側開口部２５側のディスクカートリッジ１の側面とクリアランス３２から臨まされるディスクカートリッジ１の側面とを指等に支持されて上方向に取り出される。この際、下側収納体２１の第１の立上がり壁２３に設けられる位置規制凸部３８は、ディスクカートリッジ１の上方向での挿脱を不可能にしない程度で、且つディスクカートリッジ１の外周側縁部に当接するように形成されていることから、ディスクカートリッジ１を、容易に上方向に取り出し操作される。
【００９９】
以上のように構成されたディスクカートリッジ収納ケース２０は、上述の通り表示ラベル４４が支持部５１に支持されていることから、蓋体４５が開蓋された際にも、表示ラベル４４が収納されているディスクカートリッジ１の上面に落下することも無く、ディスクカートリッジ１の挿脱操作とは別に表示ラベル４４の挿脱操作を行うことができる。また、この支持部５１は、蓋体４５が閉蓋された際に、上記下側収納体２１の底面部２２からディスクカートリッジ１の厚さ寸法と等しくなる位置に形成されていることから、表示ラベル４４を支持することと同時に、ディスクカートリッジ１の高さ方向のズレを防止する。更には、ディスクカートリッジ収納ケース２０は、上述の通り、上記位置規制リブ５０の厚さ寸法と上記規制凸部５３の内方に突出された寸法とが等しく形成されていることから、表示ラベル４４が幅方向に着実に規制される。
【０１００】
【発明の効果】
本発明に係るディスクカートリッジ収納ケースによれば、表示ラベルは、蓋体側の支持部に支持され、かつ、立上がり壁内に構成された空間部にその一部が収納されて表示ラベルの収納位置が規制されることから、蓋体が開蓋された状態において、ディスクカートリッジの挿脱操作と表示ラベルの挿脱操作を別に行うことができ、ディスクカートリッジ収納ケースの取扱いを容易とさせる。また、ディスクカートリッジ収納ケースは、ディスクカートリッジ及び表示ラベルが収納され閉蓋された状態において、表示ラベルが支持部により支持され、かつ、立上がり壁内に構成された空間部にその一部が収納されることから、持ち運び等の際に傾けられた際にも、確実に表示ラベルを所定の位置に支持することができる。
さらに、表示ラベルを支持する支持部がディスクカートリッジの外周部に当接する位置に設けられ、かつ、その支持部は蓋体が閉蓋された際に、下側収納体の底面部からディスクカートリッジの厚さ寸法と等しくなる位置に形成されていることから、表示ラベルを支持すると共にディスクカートリッジの外周部に当接してディスクカートリッジの高さ方向のズレを防止することができる。
さらにまた、位置規制壁の係合凸部をディスクカートリッジの縦方向のズレを防止することができる。
【図面の簡単な説明】
【図１】本発明に係るディスクカートリッジ収納ケースに収納されるディスクカートリッジの上方向から見た外観斜視図である。
【図２】同ディスクカートリッジ収納ケースに収納されるディスクカートリッジの底面から見た外観斜視図である。
【図３】同ディスクカートリッジ収納ケースと表示ラベルの外観斜視図である。
【図４】表示ラベルが収納された蓋体が開蓋されたディスクカートリッジ収納ケースと収納されるディスクカートリッジの上面図である。
【図５】ディスクカートリッジの挿脱状態を示すディスクカートリッジ収納ケースの断面図である。
【図６】ディスクカートリッジ収納ケースにディスクカートリッジと表示ラベルが収納され、蓋体が閉蓋された状態を示すディスクカートリッジ収納ケースの断面図である。
【図７】従来のディスクカートリッジ収納ケースの一つの例を示す外観斜視図である。
【図８】従来のディスクカートリッジ収納ケースの他の例を示す外観斜視図である。
【符号の説明】
１  ディスクカートリッジ
１６  第１の係合凹部
１８  第２の係合凹部
２０  収納ケース
２１  下側収納体
２２  底面部
２３  第１の立上がり壁
２４  上側開口部
２５  前面側開口部
２６  収納部
２７  係止片
３０  第１の係合凸部
３１  位置規制壁
３５  表示部
３８  位置規制凸部
４４  表示ラベル
４５  蓋体
４６  主面
４７  第２の立上がり壁
４８  第３の立上がり壁
５０  位置規制リブ
５１  支持部
５３  規制凸部
【図１】
0003541533.tif 000002
【図２】
0003541533.tif 000003
【図３】
0003541533.tif 000004
【図４】
0003541533.tif 000005
【図５】
0003541533.tif 000006
【図６】
0003541533.tif 000007
【図７】
0003541533.tif 000008
【図８】
0003541533.tif 000009